(57)【特許請求の範囲】
【請求項１】
底面に吸込開口が形成された吸込口本体と、この吸込口本体に上下方向に回動可能に設けられた回転管と、一端が前記吸込口本体に当接され他端が前記回転管に当接されて前記吸込口本体を被清掃面側に付勢する付勢手段とを備えた吸込口体において、
前記回転管が吸込口本体に対して所定角度回動されたとき、この回転管に係止してこの回転管をその回動位置に係止しておく係止部を前記付勢手段に設けたことを特徴とする吸込口体。
【請求項２】
請求項１に記載の吸込口体を有することを特徴とする電気掃除機。
【請求項３】
電動送風機を内蔵するとともに操作用の把手が設けられた掃除機本体と、この掃除機本体に接続される吸込口体とを有するアップライト型の電気掃除機であって、
前記係止部は、前記回転管を起立させた状態に係止しておくことを特徴とする請求項２の電気掃除機。
【発明の詳細な説明】
【０００１】
【発明の属する技術分野】
この発明は、底面に吸込開口が形成された吸込口本体と、この吸込口本体に回動可能に設けられた回転管とを備えた吸込口体と電気掃除機に関する。
【０００２】
【従来の技術】
従来から、吸込口本体を前後に操作しやすいように、掃除機本体側に接続される回転管を吸込口本体に対して上下方向に回動可能に設けた吸込口体が知られている。
【０００３】
【発明が解決しようとする課題】
かかる吸込口体にあっては、特に車輪が沈み込んでしまう絨毯を掃除する場合に、吸込口体を後ろ側に引くときに吸込口本体の後端部が絨毯から抵抗を受けて吸込口本体の前側が浮き上がってしまう。このため、吸込口本体の底面に設けた吸込開口が被清掃面から離間してしまい、塵埃の吸引効率が低下してしまうという問題があった。
【０００４】
この問題を解決するために、吸込口本体を被清掃面側に付勢する付勢部材を設けた吸込口体が知られている。
【０００５】
一方、吸込口体を持ち運ぶ際には、回転管に対して吸込口本体がふらつかないように回転管と吸込口本体とをロックして一体化した方が持ち運び易くなる。このため、その一体化が要請されている。
【０００６】
この発明は、上記事情に鑑みてなされたもので、その目的は、簡単な構造で回転管と吸込口本体とをロックすることのできる吸込口体と電気掃除機とを提供することにある。
【０００７】
【課題を解決するための手段】
上記目的を達成するため、請求項１の発明は、底面に吸込開口が形成された吸込口本体と、この吸込口本体に上下方向に回動可能に設けられた回転管と、一端が前記吸込口本体に当接され他端が前記回転管に当接されて前記吸込口本体を被清掃面側に付勢する付勢手段とを備えた吸込口体において、
前記回転管が吸込口本体に対して所定角度回動されたとき、この回転管に係止してこの回転管をその回動位置に係止しておく係止部を前記付勢手段に設けたことを特徴とする。
【０００８】
請求項２の発明は、請求項１に記載の吸込口体を有することを特徴とする電気掃除機である。
【０００９】
請求項３の発明は、電動送風機を内蔵するとともに操作用の把手が設けられた掃除機本体と、この掃除機本体に接続される吸込口体とを有するアップライト型の電気掃除機であって、
前記係止部は、前記回転管を起立させた状態に係止しておくことを特徴とする。
【００１０】
【実施の形態】
以下、この発明に係わる吸込口体と電気掃除機の実施の形態を図面に基づいて説明する。
【００１１】
図１および図２に示すアップライト型の電気掃除機は、掃除機本体１０と吸込口体５０とから構成されている。
【００１２】
掃除機本体１０の上端（図１において）にはハンドル１１が枢着されており、このハンドル１１には操作スイッチ１２が設けられている。このハンドル１１は、図１に示すように掃除機本体１０の長手方向に延ばした位置に固定して使用し、軸１３を中心に回動させて本体１０の裏面に沿う状態に位置させて収納することができるようになっている。
【００１３】
掃除機本体１０内には、集塵室２０と、この集塵室２０に設けられた集塵フィルタＦと、集塵室２０を負圧にする電動送風機２１と、電動送風機２１から排気される空気を吸込口体５０へ循環させる還流室２２とが設けられている。２３はホースであり、このホース２３の先端部２３Ａを掃除機本体１０から取り外すことにより、ホース２３によって塵埃を吸引することができるようになっている。なお、その先端部２３Ａが掃除機本体１０に装着されているときには先端部２３Ａは閉塞されている。
【００１４】
掃除機本体１０内の下部には接続口体３０が取り付けられている。接続口体３０は、図４に示すように、大径の筒部３１と、この筒部３１から上方に延びた小径の管部３２と、この管部３２から左方（図４において）に分岐された枝管３３とを備えている。枝管３３はホース２３に接続されており、管部３２は集塵室２０に連通されているとともに後述する吸込口体５０の回転管８０が着脱可能に嵌入されるようになっている。筒部３１内には回転管８０の外側管部９０が着脱可能に嵌入されるようになっている。
【００１５】
吸込口体５０は、図５および図６に示すように、吸込口本体５１と、この吸込口本体５１の後部に上下方向に回動自在に設けられた回転管８０とを備えている。
【００１６】
吸込口本体５１は、底面５１Ａに吸込開口５２を設けた吸込室５３と、この吸込室５３に設けた回転清掃体７０とを有している。吸込室５３の上には吹出し室５５が区画形成され、この吹出し室５５は回転管８０に設けた図示しない還流風路を介して掃除機本体１０の還流室２２に連通している。
【００１７】
吹出し室５５と吸込室５３とを区画した区画壁５７には、吹出し室５５に導入された空気を回転清掃体７０に向けて吹き出させる吹出孔５８が設けられている。また、区画壁５７には吹出孔５８よりも径が大きく、しかも連通路５４の上にバイパス孔５９が設けられている。このバイパス孔５９は弁体６０により閉塞されており、吸込口本体５１が持ち上げられて吸込口本体５１の底面５１Ａが床面から離間した際に、弁体６０が図７に示す位置に移動してバイパス孔５９が開放され、この開放により回転清掃体７０の回転が停止されるようになっている。
【００１８】
回転清掃体７０は、吸込室５３の側壁に回動自在に保持された軸部７１と、この軸部７１に植設された複数のブレード７２とから構成され、このブレード７２に吹出孔５８から吹き出してくる空気が当たることにより回転していくようになっている。
【００１９】
また、吸込口本体５１内の後部側には、吸込室５３に連通するとともに円弧面を有する連結部６２が形成されている。この連結部６２の内側には、回転管８０の下部に形成された円弧状の連結部８１が係合されており、回転管８０が連結部６２の中心線Ｐを中心にして上下方向に回動できるようになっている。連結部８１の上壁部８１Ａと連結部６２の上壁部６２Ａとの間には円弧状のシャッタ６５が配設され、回転管８０を図７に示すように起立させると、シャッタ６５はその端部６５Ａが回転管８０の下部の右壁部８０Ａ（図７において）に押されて下方に移動して吸込室５３と連結部６２とを連通した連通路５４を狭くする。
【００２０】
また、回転管８０を図５に示す位置へ回動させると、連結部８１の上壁部８１Ａに設けた突起８３がシャッタ６５の端部６５Ａに設けた突起６６に係合してシャッタ６５は図５に示す位置へ移動されて連通路５４は開放されるようになっている。
【００２１】
回転管８０には、還流風路（図示せず）の一部を形成する外側管部９０と接続口体３０の枝管３３に連通する開口８０Ｈとが設けられている。回転管８０の連結部８１の側部には外方に突出したピン８５が形成されている。
【００２２】
他方、吸込口本体５１の連通路５４を区画する区画壁５４Ｈの外側には図８に示すように外方に突出した軸部６７が形成され、この軸部６７にねじりバネ（付勢手段）６８が取り付けられている。このねじりバネ６８の一片６８Ａは回転管８０のピン８５に当接しており、ねじりバネ６８の他片６８ＢはブラシＢを取り付けた吸込口本体５１の取付部Ｔの上部に当接されている。
【００２３】
このねじりバネ６８により、吸込口本体５１は回転管８０に対して時計回り（図６において）に付勢されている。すなわち、吸込口本体５１は被清掃面側に付勢されている。
【００２４】
ねじりバネ６８の一片６８Ａには突部（係止部）６９が形成され、回転管８０を起立させたとき、図９に示すように、回転管８０のピン８５がねじりバネ６８の突部６９を乗り越えてその突部６９の左側に位置するように設定されている。回転管８０はシャッタ６５や連結部６２により図９に示す位置からさらに右側へ回動しないようになっている。具体的には、図７に示すように、回転管８０の連結部８１の下部壁８１Ｂの先端に設けられた突部８４と、吸込口本体５１の連結部６２の下部壁６２Ｂの後端に設けられた突部６４とが当接して回転管８０の回動は規制される。他方、反時計回りに所定以上の力を回転管８０に加えないと、回転管８０のピン８５はねじりバネ６８の付勢力により突部６９を乗り越えないことになる。
【００２５】
このため、回転管８０は起立した位置にロックされることになる。つまり、回転管８０のピン８５はねじりバネ６８の突部６９に係止して回転管８０は起立した位置に係止されることになる。
【００２６】
次に、上記実施形態の電気掃除機の動作について説明する。
【００２７】
ハンドル１１を掃除機本体１０の長手方向に沿って延ばした状態にして固定する。他方、吸込口体５０の回転管８０を掃除機本体１０の接続口体３０の管部３２内に嵌入させるとともに回転管８０の外側管部９０を接続口体３０の筒部３１内に嵌入させる。
【００２８】
そして、ハンドル１１の操作スイッチ１２を操作すると電動送風機２１が作動していく。電動送風機２１の作動により集塵室２０が負圧となり、この負圧により吸込口本体５１の吸込室５３から空気が吸引されていく。
【００２９】
他方、電動送風機２１から排気される空気は、掃除機本体１０の還流室２２および回転管８０の還流風路を介して吸込口本体５１の吹出し室５５に還流される。吹出し室５５に還流された空気は、吹出孔５８から下方に向けて吹き出す。この空気の吹き出しにより回転清掃体７０が回転していき、床面に付着している塵埃を掻き上げていく。また、吹出孔５８からの下方への空気の吹き出しにより、床面の塵埃が吹き上げられていくので、連通路５４に吸引されていく塵埃の吸引効率が向上する。
【００３０】
ところで、吸込口本体５１を前後に移動させて掃除を行うときには、掃除機本体１０は斜めになるので、図１０に示すように、回転管８０は吸込口本体５１に対して実線で示す位置まで回動される。そして、吸込口本体５１の前後移動に対応して、その実線位置を中心にして回転管８０は上下に回動することになる。
【００３１】
回転管８０のその回動範囲内すなわち回転管８０が起立していない状態では、回転管８０のピン８５はねじりバネ６８の突部６９の右側に位置し、回転管８０はロックされてしまうことはく、吸込口本体５１はねじりバネ６８によって被清掃面側に常に付勢される。この付勢により、吸込口本体５１を手前に引いた場合に吸込口本体５１の後部が絨毯などの抵抗を受けても吸込口本体５１の前側すなわち塵埃を吸い込む吸込開口５２が浮き上がってしまうことが防止される。
【００３２】
回転管８０を起立させると、すなわち、吸込口本体５１に対して掃除機本体１０を起立させると、図９および図１０の二点鎖線に示すように、回転管８０のピン８５はねじりバネ６８の突部６９を乗り越えてこの突部６９の左側に係止することになる。この係止と両突部６４,８４の当接により、回転管８０は起立した位置にロックされる。このロックにより、電気掃除機本体１０を安定させて収納することができる。
【００３３】
また、回転管８０のロックにより、吸込口本体５１は回転管８０に対してふらつかない。このため、吸込口体５０やこの吸込口体５０を取り付けた電気掃除機は持ち運び易くなる。しかも、吸込開口５２を被清掃面側に付勢するねじりバネ６８を利用して回転管８０をロックするようにしたものであるから別途ロック機構を設ける必要がなく、回転管８０をロックさせる構造は至って簡単なものである。
【００３４】
また、回転管８０を起立させるとシャッタ６５が連通路６６を閉じるので、ホース２３による掃除を効率よく行うことができる。
【００３５】
上記実施形態では、アップライト型の電気掃除機について説明したが、回転管８０をロックする機構をキャニスタ型の電気掃除機の吸込口体に適用してもよい。
【００３６】
また、両突部６４,８４との当接を利用することなく、ねじりバネ６８に２つの突起を設け、この突起間にピン８５を位置させて回転管８０をロックさせるようにしてもよい。
【００３７】
【発明の効果】
以上説明したように、請求項１の発明によれば、回転管が吸込口本体に対して所定角度回動されたとき、この回転管に係止してこの回動管をその回動位置に係止しておく係止部を付勢手段に設けたものであるから、簡単な構造で吸込口体は持ち運び易くなる。
【００３８】
請求項２の発明によれば、上記効果を得ることのできる電気掃除機を提供することができる。
【００３９】
請求項３の発明によれば、係止部は、回転管を起立させた状態に係止しておくものであるから、回転管は起立した位置にロックされる。このロックにより、アップライト型の電気掃除機本体を安定させて収納することができる。
【図面の簡単な説明】
【図１】この発明に係る電気掃除機の外観を示した斜視図である。
【図２】この発明に係る電気掃除機の要部を断面にした部分断面図である。
【図３】図２に示した要部を拡大した拡大図である。
【図４】（Ａ）接続口体を示した側面図である。
（Ｂ）接続口体の構成を示した断面図である。
【図５】吸込口体の構成を示した断面図である。
【図６】吸込口本体が被清掃面側に付勢される状態を示した説明図である。
【図７】回転管が起立されたときのシャッタが連通路を閉じる状態を示した説明図である。
【図８】連通路の区画壁に設けた軸部を示した説明図である。
【図９】回転管がロックされた状態を示した説明図である。
【図１０】回転管の回動位置を示した説明図である。
【符号の説明】
５０          吸込口体
５１          吸込口本体
５１Ａ        底面
５２          吸込開口
６８          ねじりバネ
６９          突部
８０          回転管
８５          ピン
【図１】
0003744707.tif 000002
【図２】
0003744707.tif 000003
【図３】
0003744707.tif 000004
【図４】
0003744707.tif 000005
【図５】
0003744707.tif 000006
【図６】
0003744707.tif 000007
【図７】
0003744707.tif 000008
【図８】
0003744707.tif 000009
【図９】
0003744707.tif 000010
【図１０】
0003744707.tif 000011